(57)【特許請求の範囲】
【請求項１】
傾斜を使用して車椅子使用者が急な段差を容易に通過できるようにする複数のモジュール要素からなる装置であって、
傾斜形状のモジュール構造のための第１及び第２タイプ要素を備え、前記第１タイプ要素は、傾斜した上面を有する比較的低い楔形の傾斜要素であり、前記傾斜した上面の角度が水平に対して約１０〜２０°で、最大高さが約１０〜５０ｍｍであり、前記第２タイプ要素は、前記第１タイプ要素の最大高さと同じ高さを有する平坦なタイル要素であり、更に、前記第１及び第２タイプ要素は、複数の穴のパターンを有する上部プレートと、該上部プレートの縁部から下方へ延びる側壁と、前記上部プレートの下側から下方へ延びる複数の支持スタッドとを有するシェル要素として形成され、更に、２つ以上を互いに重ねた前記第１及び／又は第２タイプ要素をこれらの垂直方向に整合された前記穴に挿通することによって互いに連結する頭部及びロック部を有するコネクタを備えていることを特徴とする装置。
【請求項２】
前記第１タイプ要素は、ドアの敷居の低い側に対して配置するためのもので、標準寸法に形成されており、また、前記第１タイプ要素は、前記敷居に対して外側へ延した前記第２タイプ要素に支持された対応する第１タイプ要素と共に前記敷居の高い側にも使用され、これらの前記第１タイプ要素の上部が前記敷居の両側に一体に配置されて、ほぼ連続する傾斜表面を形成することを特徴とする請求項１に記載の装置。
【請求項３】
前記敷居の両側に配置された２つの傾斜部分は、ストリップ又はバンドの形態で前記敷居を横切って延びてこれらの間を引張結合する継手によって結合され、これにより、傾斜部分を前記敷居の両側で保持し、かつ、前記ドアが完全に閉じられるようにすることを特徴とする請求項２に記載の装置。
【請求項４】
前記敷居の一側又は両側が急な角度に傾斜された側部を有しており、前記傾斜部分の端部は、前記敷居の両側に当接し、急な角度で切欠いた縁部が形成されて、前記敷居の急な角度に傾斜された側部を収容することを特徴とする請求項２に記載の装置。
【請求項５】
前記支持スタッドの床係合表面には、摩擦発生部が設けられていることを特徴とする請求項２に記載の装置。
【請求項６】
前記シェル要素の上部プレートには、複数の穴のパターンが形成されており、前記コネクタは、更に、スナップ−ロックカップリングを備え、このスナップ−
ロックカップリングを整合された穴に押込むことによって、重ねた要素を下層の要素に垂直方向に固定することを特徴とする請求項２に記載の装置。
【請求項７】
前記コネクタは、長いコネクタと短いコネクタの少なくとも２つの異なる長さのものであり、長いコネクタは、前記平坦なタイル要素と前記傾斜要素の厚い端部とを結合するのに適し、短いコネクタは、前記傾斜要素の薄い端部を前記平坦なタイル要素に結合するのに適していることを特徴とする請求項１に記載の装置。
【請求項８】
前記傾斜要素の厚い端部には、水平表面が設けられていることを特徴とする請求項７に記載の装置。
【請求項９】
前記傾斜要素の縦方向の寸法は、前記平坦なタイル要素の対応する縦方向の寸法よりも僅かに長くて、隣接する前記傾斜要素の水平表面に重なることを特徴とする請求項８に記載の装置。
【請求項１０】
傾斜を使用して車椅子使用者が例えばドアの敷居の急な段差を容易に通過できるようにするための装置であって、
傾斜形状のモジュール構造のための第１の構成部品である１０〜２０°の楔角度で好ましくは１０〜５０ｍｍの最大高さとなる適度に僅かに傾斜された上部を有する比較的低い楔形の傾斜要素と、第２の構成部品である関連する前記傾斜要素の最大高さと同じ高さの平坦なタイル要素とを備え、前記傾斜要素及び前記タイル要素は、上部シェルから縁部壁部分が下方へ延びて、該縁部壁部分によってシェル部分を支持し、前記縁部壁部分には、組立結合ピースを収容する切欠が形成されてシェル要素を構成するタイプの構造であり、前記上部シェルには貫通された複数の穴のパターンが形成され、更に、スナップ−ロック結合ピースを備え、該スナップ−ロック結合ピースをそれぞれの関連する前記穴に押込むことによって上層の要素を下層の要素に垂直方向に固定し、垂直方向の結合コネクタである前記スナップ−ロック結合ピースは、少なくとも２つの長さを有し、前記平坦なタイル要素を前記傾斜要素の厚い端部に結合するための「長い」ピースと、前記傾斜要素の薄い端部を前記平坦なタイル要素に結合するための「短い」ピースとを有していることを特徴とする装置。
【請求項１１】
傾斜を使用して車椅子使用者が例えばドアの敷居の急な段差を容易に通過できるようにするための装置であって、
傾斜形状のモジュール構造のための第１の構成部品である１０〜２０°の楔角度で好ましくは１０〜５０ｍｍの最大高さとなる適度に僅かに傾斜された上部を有する比較的低い楔形の傾斜要素と、第２の構成部品である関連する前記傾斜要素の最大高さと同じ高さの平坦なタイル要素とを備え、厚い端部及び薄い端部を有する前記傾斜要素の厚い端部は、平坦な水平表面を有する外側領域を有しており、傾斜構造の縦方向において、前記傾斜要素は、前記平坦な傾斜要素よりも僅かに長く、前記傾斜要素の薄い端部は、隣接する前記傾斜要素の前記外側領域の上に重なることを特徴とする装置。
【発明の詳細な説明】
【０００１】
本発明は、車椅子使用者がドアの敷居を横切るとき等の急な段差を容易に通過できるようにするための装置に関する。従来は、取外し式の敷居または適当なアーチ状の金具で敷居を覆うことによって対応しており、これには、非常に大きな問題があることがよく知られている。これらの解決法は、扉の下部の密閉機能が部分的または完全に無効になり、後者の場合にはドアを閉じることさえもできず、更に、いずれの解決法も比較的高価である点で、いずれも理想的なものではない。
【０００２】
本発明により、ドアを受ける実際の段部は、深さが充分に小さく、その垂直に立上った縁部は、普通に問題なく乗り越えられるのに対して、容易な通過に対する最大の障害は、通常のドアの敷居の両側の縁部表面における大きな高さであることがわかった。前記両側の表面は、通常、三角形の床の傾斜縁で覆われてはいるが、その外表面部分は、急勾配で立上っているので、車椅子の車輪に対しては、依然として「高い縁」を構成している。これを考慮して、本発明によって、適当に最大高さが異なり、ドアの敷居の高低の外側縁部にそれぞれ当接させることができ、そこから適当に僅かに傾斜された表面が延びて、問題なくドアの敷居を乗り越えられるようにする互いに分離された2つの傾斜要素を使用することで充分対応できることがわかった。また、これによって、ドアは、通常の方法で完全に閉じることができるようになる。
【０００３】
車椅子に乗る者が使用するために予めレイアウトされた建物においては、常設の傾斜構造が単純明快であるが、本発明の目的は、緩やかな傾斜を使用することによって特徴付けられる、多かれ少なかれ、通常の既存のドアの敷居の暫定的な修正へ向けた特有の角度を開示することである。これは、例えば、患者がリハビリテーションを受ける間、一時的に車椅子の状態で病院から自宅へ帰る場合等において適している。実際は、大工が患者の家の敷居を取外すのを待っている間、患者は、数週間以上病院で待機する必要があり、これらは非常にコストがかかる解決法である。
【０００４】
しかしながら、本発明は、一般的なドアの敷居のみがある所を訪れる際、車椅子使用者自身が、または、ヘルパーの補助で、適当な傾斜要素の配置を実行することができ、前記傾斜要素は車椅子使用者によって運ぶことができるようにすることによって、役立てることができる。そのような敷居のそれぞれにおいて、傾斜要素は、配置することができ、敷居を通過した後、それらを次の通過に再使用できるように再び取外すことができる。特定の適用例に関連して、小さな「下りの突起を横切ること」が許容できる場合は、上りを横切るためだけに適当な傾斜を配置することができる。これにより、特に、敷居の高い側を上って横切る場合に傾斜を使用することは明らかである。
【０００５】
更なる永続的な構造では、使用者の家で、床の傾斜縁のために、傾斜要素と敷居の縁部との間に隙間が生じる望ましくない構造では、それらの傾斜縁は、疑いもなく全体として敷居から取除くことができるが、本発明によれば、そのような傾斜縁の除去を避けて、各傾斜要素の敷居に向かう表面が、床の傾斜縁が受入れられるように切欠かれて、床の傾斜縁を取除くことなく、傾斜要素を緊密に当接することができる。
【０００６】
半永続的な装着例では、傾斜要素を敷居または床表面に簡単に締結することができ、締結は、偶発的な影響による傾斜要素の変位と反対に作用することを必要とする。間に合わせの構造では、本発明によれば、2つの対向する傾斜要素は、引張り力によって締結され、これらは、弾性ストリップ部品によって結合され、ドアの敷居の両縁部に対して一体に自動的にクランプされる。これにより、これらは、容易に移動させることができるが、これら自体が釣合う通常の位置へ復帰する。弾性ストリップ部品は、ドアが閉じられたときも残る敷居の隙間を通り、敷居の幅にかかわらず、傾斜要素を敷居の両側に当接するように調整する。
【０００７】
上述のことは、一般的に傾斜部品に適用することができるが、「携帯」傾斜部品に関連することが少なくないことは明らかであり、安価で、軽量な構造であることが望ましい。本発明の利点によって、薄い上側部分を有するプラスチック材料のフロアカバータイルのモジュラーシステムが既に開発されており、これらは、例えば、米国特許第5,509,244号の特に図7に参照されるように、下方へ延びる側縁部部品および均一に分配されたピン部品によって床に対して支持される。これらのタイルは、エッジ組立要素によって一体に互いに結合されており、軽量ユニットを明確に構成しているが、かなりの圧縮荷重に耐えることができる。これらのフロアカバーは、特定の床の上の高さによって異なる利点を呈しており、傾斜された「傾斜タイル」がこれらのカバーのための縁部を設けた部品として提案されている。本発明によって、これらの傾斜タイルがここで考えられる目的に直接適用され、例えば、敷居の低い側に直接一体に結合することができるのに対して、敷居の高い側では、これらは、例えば単純な螺子結合によって締結された通常のフロアタイル要素によって支持することができる。この方法では、平坦および傾斜要素が適当なモジュール構造によって、あらゆる適切な高さを形成することができる。
【０００８】
また、本発明は、通常のドアの敷居を渡る車椅子の通路のほかに、例えば、フロアレベルより低い表面を有するバルコニへ出る通路に適用することができる。前記特殊なフロアタイルによって、バルコニの上側にフロアを形成することができ、そうでなければ、結局、水密バルコニフロアの方向を変更することになる。これにより、バルコニドアの敷居の内側に傾斜ピースを使用することができる。全く対応する構造は、シャワーキャビネットに使用することができる。
【０００９】
汎用の傾斜ピースは、下部に摩擦スタッドが形成されるように便宜的に構成することができ、これにより、荷重された状態において、特別に安定して固定される。車椅子は、例えばバックレストの背後に1セットの傾斜ピースを容易に解放できる締結を好都合に設けることができ、あるいは、より少ない数をケース内で運ぶことができ、後部に吊るすことができ、これにより、使用者は、例えば、ホテルに滞在中、または、週末を通常の環境で過ごすときに、いくつかのドアの敷居を解消する装備を得ることができる。更に、場合によっては、例えば、ホテル自身が適当な数の傾斜セットを必要に応じて客室に配置するために装備する。
【００１０】
適当な傾斜構造は、ドアの敷居よりかなり高い異なる高さに対応することができ、例えば、フロア高さとフロントドアとの間の移動、通常の大小のステップの障害物を介してアクセスするのに対応することができる。一時的な傾斜構造でさえ、非常に高価で、また、既知の構造では、これらは、殆どの場合、再利用の観点から特別な価値を持っていない。本発明による装備は、必要な数の選択可能なモジュール要素を設けるだけで、実際にあらゆる適切な傾斜構造に高度に適用することができ、これらは、簡単な方法で一体に結合されて、注文どおりの適当な構造を形成することができる。同様に、これらの要素は、次の新たな構造の再利用のために、容易に分離することができる。本来の構造が比較的安価に実施できるだけでなく、傾斜およびタイル要素の再利用の可能性によって本システムにおける更なる経済性が強調される。
【００１１】
以下に、図面を参照して、本発明を更に詳細に説明する。
図1において、下に置かれたタイル要素4の上に配置された傾斜要素2が示され、タイル要素は、対応する傾斜要素2Aに順次水平に結合されている。両方の傾斜要素およびタイル要素は、米国特許第5,509,244号に従って、すなわち、縁部壁部分8が下方へ延ばされた上部プレート部分6および円筒状の支持スタッド10(図2)を有するシェル要素として形成されている。縁部壁部分8には、組立結合ピース14を受入れるための切欠12が形成され、これにより、これらの要素は、縁部と縁部とで一体に結合することができる。上部プレート6には、穴16のパターンが形成され、付属品として、頭部20および下部スナップロック部22を有する組立ダボ18があり、これらのダボは、下方に押圧されて、下に配置したタイル4の対応する穴16に挿入されてロック結合される。これらのダボは、2つの異なる長さがあり、すなわち、長いダボ18は、傾斜要素の厚い端部を締結するためのものであり、短いダボ18´は、傾斜要素の薄い端部のためのものである。
【００１２】
図3の左側の要素は、図1および図2に対して、これらが一体に結合され、さらに、対応する要素が幅方向に組立てられた状態で示され、これにより、傾斜部分24が、ドアの敷居の左側に配置されるように形成される。右側には、敷居の低い側に配置するための一体に結合された単一の傾斜要素2からなる第2の傾斜ピース26が示されている。これらのピース24および26は、図4に示されるようにこれらを敷居に保持する弾性ストリップ28によって一体に連結されている。
【００１３】
図4に示されるように、敷居30には、傾斜縁32が設けられ、傾斜ピースの高端が傾斜縁を取除く必要がないような角度で切欠かれることができる。また、これらの要素には、例えば円筒状のピン10に締結されるゴムスタッド34を設けることができる。
【００１４】
図示されるように、傾斜要素2は、その高端に頂部平坦領域を設けて、上に重ねる要素が平面上で締結できるようにすることが望ましい。さらに、傾斜要素は、タイル要素よりも僅かに長く、薄い端部が下に重なる組立の継目の外へ突出して、継目が隠されるようにすることが望ましい。
【００１５】
図5において、例えばステップ36の階差に結合する更に大きな傾斜構造の一部が示されている。傾斜は、1またはそれ以上の踊場38を注文できることがわかる。図6は、同様に踊場が形成されたダブルの傾斜を示している。また、このような構造において、外側角部の境界を成す特殊なコーナー要素を設けることが示されている。同様に、コーナー要素40、内側角部に使用するために設けることもでき、全ての可能性のある形態を有する傾斜が、屋外および屋内の両方で構築できることがわかる。
【００１６】
組立ダボ18の代わりに、単純なねじ結合を使用して、傾斜が使用期間後、直に取り外せるようにすることもできる。また、ダボ18によれば、分解することができ、望ましい強固なロック方法で構成され、迅速に頭部20をドリルで貫通することによって分離される。取外しは、これらの要素自体を損傷することなく実行することができ、これにより、他の場所で再使用する準備ができる。
【００１７】
これらの要素は、手工具によって比較的容易に加工することができ、いくつかの要素を切断または手作業で改造することによって、丁度よい嵌め合いの傾斜構造を得ることができる。このような要素部品は、中心的な倉庫に保管することができ、例えば寸法によって分類することができる。しかしながら、これらの要素は、比較的安価であるから、精度の高い使用は、新しい要素によってなされることが望ましい。
【図面の簡単な説明】
【図１】  本発明に従った構造に使用するための下層のタイルおよび傾斜要素をともなう傾斜要素の上方からの斜視図である。
【図２】  図1と同様の下方から斜視図である。
【図３】  ドアの敷居に連結する適用例の傾斜装置の斜視図である。
【図４】  図3の装置の取付けられた状態を示す端面図である。
【図５】  より大きな傾斜構造の断面図である。
【図６】  ダブルの傾斜の斜視図である。
【図１】
0003855124.tif 000002
【図２】
0003855124.tif 000003
【図３】
0003855124.tif 000004
【図４】
0003855124.tif 000005
【図５】
0003855124.tif 000006
【図６】
0003855124.tif 000007